(57)【要約】      （修正有）【課題】アンダーカットを有する三次元ブレードを持つタイヤ成形用金型の製造方法を提供する。【解決手段】先ずダイカスト鋳造法によりタイヤ成形用金型の一部を射出成形する際、予め製品形状（プロファイル）を持った鋳型６にブレード７の植え込み部７ａを突出させた状態で仮ブレード７ｘをボルトやピン等の固定手段１０により固定する。そして、この鋳型６を一方の母型８ａ内の所定位置に配設して他方の母型８ｂを型締めした後、製品部９に射出成形機Ｇから射出成形を行う。その後、前記母型８ａ，８ｂを型開きして半完成品Ｗａを離型後、前記仮ブレード７ｘを半完成品Ｗａから引き抜き、半完成品Ｗａに溝部１１を形成する。そして、前記半完成品Ｗａの溝部１１に製品ブレード７（サイピングブレード）を差し込み、ボルトやピン等の固定手段１２により装着固定し、タイヤ成形用金型の一部の完成品Ｗを製造するものである。【選択図】図１
2008168511.tif 000002
【特許請求の範囲】
【請求項１】
ダイカスト鋳造法によりタイヤ成形用金型の一部を射出成形する際、予め製品形状を持った鋳型にブレードの植え込み部を突出させた状態で仮ブレードを固定し、この鋳型を分割された母型内の所定位置に配設して型締めした後、製品部に射出成形を行い、その後、前記母型を型開きして半完成品を離型後、前記仮ブレードにより形成された半完成品の溝部に製品ブレードを装着固定することを特徴とするタイヤ成形用金型の製造方法。
【請求項２】
前記製品ブレードが、三次元形状を持ったブレードである請求項１に記載のタイヤ成形用金型の製造方法。
【請求項３】
前記鋳型に仮ブレードを固定する際、固定手段により仮ブレードを固定する請求項１または２に記載のタイヤ成形用金型の製造方法。
【請求項４】
前記半完成品の溝部に製品ブレードを装着固定する際、固定手段を介して固定する請求項１，２または３に記載のタイヤ成形用金型の製造方法。
【発明の詳細な説明】
【技術分野】
【０００１】
この発明は、タイヤ成形用金型の製造方法に係わり、更に詳しくはアンダーカットを有する三次元ブレードを持ったタイヤ成形用金型の一部をダイカスト鋳造により容易に製造することが出来るタイヤ成形用金型の製造方法に関するものである。
【背景技術】
【０００２】
一般にタイヤのトレッド表面には、タイヤの制動力を高め、騒音の減少等を目的として多数の細溝（サイピング）が形成される場合があり、この多数の細溝は、タイヤ成形用金型の成形面に埋設された多数の薄い金属材料（例えば、ステンレス等）から成るサイピングブレードにより形成されるものである。
【０００３】
このサイピングブレードの埋設方法としては、例えば、図４及び図５に示すように、母材１（石膏鋳造法の場合には石膏、ダイカスト鋳造法の場合には鉄等の金属材料）にサイピングブレード２のサイプ成形部分２ｘを埋め込み（石膏は石膏型製作時、金属型の場合には溝部を形成して埋設する）、サイピングブレード２の埋め込み部分２ｙにタイヤ成形用金型３の金属材料（例えば、アルミニュウム）を流し込んで一体的に鋳造するものである。
【０００４】
この鋳造後に、タイヤ成形用金型３（周方向に複数に分割された金型の一つを示している）に対してサイピングブレード２の抜け止めを防止させるために、サイピングブレード２の埋め込み部分２ｙの側面には、図６（ａ）に示すようにアルミ溶湯を流れ込ませるためにアンカー孔４を形成したり、または図６（ｂ）に示すように埋め込み部分２ｙの側縁部にアンダーカット部５を形成することによりタイヤ成形用金型３の金属材料と一体的に固定している。
【０００５】
また、従来のダイカスト鋳造によりタイヤ成形用金型の一部（ピース）を射出成形する際には、タイヤ溝を形成する骨やブレードは型開き方向にアンダーカットのない形状にする必要がある。即ち、図７（ａ）〜（ｅ）に示すように、ダイカスト鋳造法によりタイヤ成形用金型の一部を射出成形する際、予め製品形状を持った鋳型６に製品ブレード７（サイピングブレード）の植え込み部７ａを突出させた状態で製品ブレード７を固定し、この鋳型６を一方の母型８ａ内の所定位置に配設して他方の母型８ｂを型締めした後、製品部９に射出成形機Ｇから射出成形を行い、その後、前記母型８ａ，８ｂを水平方向に移動させて型開きし、製品ブレード７の植え込み部７ａを鋳込んで埋設させた完成品を離型させて完成品Ｗを製造するものである。
【０００６】
このように母型８ａ，８ｂは、水平方向に移動させて型開きしながら完成品Ｗを離型させるため、タイヤ溝を形成する骨やブレードが三次元形状を有する場合には型開きすることが出来ず、また無理に型開きした場合には、タイヤ溝を形成する骨やブレード部分が損傷するため、特にブレードの形状としては二次元形状のものしか使用できないと言う問題があった。
【０００７】
また三次元形状のブレードを使用するタイヤ成形用金型の一部（ピース）を射出成形する方向も提案されているが（例えば、特許文献１参照）、ブレードを支持する構造を分割にする等、構造が複雑になりコストアップとなる問題があった。
【特許文献１】特開平８−２２９９５６号公報
【発明の開示】
【発明が解決しようとする課題】
【０００８】
この発明はかかる従来の問題点に着目し、ダイカスト鋳造法によりタイヤ成形用金型の一部を射出成形する際、アンダーカットを有する三次元ブレードを持つ金型の一部を射出成形により容易に製造することが出来るタイヤ成形用金型の製造方法を提供することを目的とするものである。
【課題を解決するための手段】
【０００９】
この発明は上記目的を達成するため、ダイカスト鋳造法によりタイヤ成形用金型の一部を射出成形する際、予め製品形状を持った鋳型にブレードの植え込み部を突出させた状態で仮ブレードを固定し、この鋳型を分割された母型内の所定位置に配設して型締めした後、製品部に射出成形を行い、その後、前記母型を型開きして半完成品を離型後、前記仮ブレードにより形成された半完成品の溝部に製品ブレードを装着固定することを要旨とするものである。
【００１０】
ここで、前記製品ブレードが、三次元形状を持ったブレードであり、また前記鋳型に仮ブレードを固定する際、固定手段により仮ブレードを固定するものである。更に、前記半完成品の溝部に製品ブレードを装着固定する際、固定手段を介して固定するものである。
【００１１】
このような方法で製造することで、アンダーカットを有する三次元ブレードを持ったタイヤ成形用金型の一部をダイカスト鋳造により容易に製造することが出来るものである。
【発明の効果】
【００１２】
この発明は、上記のようにダイカスト鋳造法によりタイヤ成形用金型の一部を射出成形する際、予め製品形状を持った鋳型にブレードの植え込み部を突出させた状態で仮ブレードを固定し、この鋳型を分割された母型内の所定位置に配設して型締めした後、製品部に射出成形を行い、その後、前記母型を型開きして半完成品を離型後、前記仮ブレードにより形成された半完成品の溝部に製品ブレードを装着固定するので、従来難しいとされていたアンダーカットを有する三次元ブレードを持ったタイヤ成形用金型の一部をダイカスト鋳造により容易に製造することが出来、また簡単な構成により安価に製造することが出来る効果がある。
【発明を実施するための最良の形態】
【００１３】
以下、添付図面に基づき、この発明の実施形態を説明する。
【００１４】
なお、従来例と同一構成要素は、同一符号を付して説明は省略する。
【００１５】
図１（ａ）〜（ｇ）は、この発明のタイヤ成形用金型の製造工程を示す説明図を示し、この製造工程では、先ずダイカスト鋳造法によりタイヤ成形用金型の一部を射出成形する際、図１（ａ）に示すように、予め製品形状（プロファイル）を持った鋳型６（入れ子とも言う）にブレードの植え込み部７ａを突出させた状態で仮ブレード７ｘをボルトやピン等の固定手段１０により固定する。
【００１６】
そして、図１（ｂ）に示すように、この鋳型６を一方の母型８ａ内の所定位置に配設して他方の母型８ｂを型締めした後、図１（ｃ）に示すように、製品部９に射出成形機Ｇから射出成形を行う。その後、図１（ｄ）に示すように、前記母型８ａ，８ｂを型開きして半完成品Ｗａを離型後、図１（ｅ）に示すように、前記仮ブレード７ｘを半完成品Ｗａから引き抜き、半完成品Ｗａに溝部１１を形成する。
【００１７】
そして、図１（ｆ）及び図１（ｇ）に示すように、前記半完成品Ｗａの溝部１１に製品ブレード７（サイピングブレード）を差し込み、ボルトやピン、或いは接着剤等の固定手段１２により装着固定し、タイヤ成形用金型の一部の完成品Ｗを製造するものである。
【００１８】
前記製品ブレード７は、従来に二次元ブレードの他、この発明の実施形態で使用する三次元形状を持ったブレードを使用することも可能であり、上記のように仮ブレード７ｘに半完成品Ｗａに溝部１１を形成した後、製品ブレード７を差し込むことで、アンダーカットの有無にかかわらず、任意の形態の製品ブレード７を使用することが出来る。
【００１９】
図２（ａ）〜（ｄ）は、完成品Ｗに形成した溝部１１に三次元形状を持った製品ブレード７を差し込んで固定手段１２により装着固定する方法の説明図を示し、図２（ａ）は三次元形状を持った製品ブレード７を取付けたタイヤ成形用金型の一部の完成品Ｗの斜視図、図２（ｂ）は完成品Ｗの平面図を示し、図２（ｃ）は図２（ｂ）のＡ−Ａ矢視正面図、図２（ｄ）は図２（ｃ）のＢ−Ｂ矢視側面図を示し、また図３（ａ）〜（ｃ）は、二次元形状を持った製品ブレード７を取付けたタイヤ成形用金型の一部の完成品Ｗに取付けた平面図と、正面図と、側面図とを示している。
【００２０】
この実施形態では、仮ブレード７ｘにより形成した半完成品Ｗａに溝部１１に、製品ブレード７の植え込み部７ａを差し込み、この植え込み部７ａに形成した貫通穴１３ａに、完成品Ｗの側面に形成した溝部１１と直交する向きに形成した穴１３ｂからピン等の固定手段１２を差し込んで、製品ブレード７の植え込み部７ａを完成品Ｗの溝部１１に固定するものである。
【００２１】
なお、ピンの代わりにボルト等で固定することも可能であり、また固定手段１２のピンの抜け止め防止や挿入を容易にするため、図３（ｄ），（ｅ）に示すように、割りピン１４ａや、中空ピン１４ｂを使用することも可能である。更に、製品ブレード７の植え込み部７ａを完成品Ｗの溝部１１に固定するために、製品ブレード７の植え込み部７ａに複数の貫通穴を形成し、また完成品Ｗの側面に形成した溝部１１と直交する向きに形成した複数の穴から複数本のピン等の固定手段を差し込んで固定することも可能である。
【００２２】
以上のように、この発明ではダイカスト鋳造法によりタイヤ成形用金型の一部を射出成形する際、予め製品形状を持った鋳型に製品ブレード７の植え込み部７ａを突出させた状態で仮ブレード７ｘを固定し、この鋳型６を母型８ａ内の所定位置に配設して母型８ｂを型締めした後、製品部９に射出成形を行い、その後、前記母型８ａ，８ｂを型開きして半完成品Ｗａを離型後、前記仮ブレード７ｘにより形成された半完成品Ｗａの溝部１１に製品ブレード７を装着固定するので、従来難しいとされていたアンダーカットを有する三次元ブレードを持ったタイヤ成形用金型の一部をダイカスト鋳造により容易に製造することが出来るものである。また構成も複雑ではなく、安価に製造することが出来る。
【図面の簡単な説明】
【００２３】
【図１】（ａ）〜（ｇ）は、この発明のタイヤ成形用金型の製造工程を示す説明図である。
【図２】（ａ）〜（ｄ）は、完成品に形成した溝部に三次元形状を持った製品ブレードを差し込んで固定手段により装着固定する方法の説明図を示し、（ａ）は三次元形状を持った製品ブレードを取付けたタイヤ成形用金型の一部の完成品Ｗの斜視図、（ｂ）は完成品の平面図、（ｃ）は（ｂ）のＡ−Ａ矢視正面図、（ｄ）は（ｃ）のＢ−Ｂ矢視側面図である。
【図３】（ａ）は、二次元形状を持った製品ブレード７を取付けたタイヤ成形用金型の一部の完成品に取付けた平面図、（ｂ）は（ａ）のＣ−Ｃ矢視正面図、（ｃ）は（ａ）のＤ−Ｄ矢視側面図、（ｄ）はピンの１実施形態を示す割りピンの拡大正面図、（ｅ）は中空ピンの拡大正面図である。
【図４】従来のタイヤ成形用金型にサイピングブレードを固定する方法の説明図である。
【図５】従来の複数に分割されたタイヤ成形用金型にサイピングブレードを固定する方法の説明図である。
【図６】（ａ），（ｂ）は、従来のサイピングブレードの固定方法の説明図である。
【図７】（ａ）〜（ｅ）は、従来のタイヤ成形用金型の組立て構造における駒製造工程を示す説明図である。
【符号の説明】
【００２４】
６  鋳型
７  製品ブレード
７ａ  植え込み部
７ｘ  仮ブレード
８ａ，８ｂ  母型
９  製品部
１０  固定手段
１１  溝部
１２  固定手段
１３ａ  貫通穴
１３ｂ  穴
１４ａ  割りピン
１４ｂ  中空ピン
Ｇ  射出成形機
Ｗ  完成品
Ｗａ  半完成品
【図１】
2008168511.tif 000003
【図２】
2008168511.tif 000004
【図３】
2008168511.tif 000005
【図４】
2008168511.tif 000006
【図５】
2008168511.tif 000007
【図６】
2008168511.tif 000008
【図７】
2008168511.tif 000009